(57)【要約】      （修正有）【課題】継ぎ合わせ式立体カップ結合構造を有するブラジャーカップを提供する。【解決手段】裁断式立体内カップ組立体２０を備え、裁断式立体内カップ組立体は、少なくとも１つの裁断済みの継ぎ合わせ布２１と、少なくとも２つの連結辺２２とを有し、当該連結辺が当該継ぎ合わせ布の外周辺に配置され、相対応の２つの当該連結辺を立体型紙に合わせて高周波または超音波手段によって溶接継ぎ合わせることにより溶接結合領域２３が形成される継ぎ合わせを利用してなされ、各当該継ぎ合わせ布が強固結合され、かつ裁断式立体内カップ組立体には外凸部と内凹部とが形成される。伝統的な針糸による裁縫が不要になり、かつ溶接した当該継ぎ合わせ布の形状により多様な外観設計を図ることができ、ミシン縫製の加工糸による美観への影響を免れ、裁断式立体内カップ組立体の変化性と美感をより増すことができ、ミシン縫製を免れてカップに折れ針が残留する危険を回避できる。【選択図】図３
0003226133.tif 000002
【実用新案登録請求の範囲】
【請求項１】
継ぎ合わせ式立体カップ結合構造を有するブラジャーカップであって、そのカップは、裁断式立体内カップ組立体を備え、
前記裁断式立体内カップ組立体は、少なくとも１つの裁断済みの継ぎ合わせ布と、少なくとも２つの連結辺とを有し、当該連結辺が当該継ぎ合わせ布の外周辺に配置され、相対応の２つの当該連結辺を立体型紙に合わせて高周波または超音波手段によって溶接継ぎ合わせることにより溶接結合領域が形成され、各当該継ぎ合わせ布が当該連結辺で強固結合され、かつ前記裁断式立体内カップ組立体には外凸部と内凹部とが形成されることを特徴とする、継ぎ合わせ式立体カップ結合構造を有するブラジャーカップ。
【請求項２】
当該継ぎ合わせ布は、相互にラミネート固定された表布と、裏布と、中間層とを含み、前記表布は前記外凸部箇所に位置し、前記裏布は前記内凹部に位置し、前記中間層は前記表布と前記裏布との間に位置し、前記裁断式立体内カップ組立体の前記外凸部と前記内凹部にはいずれも上記の前記溶接結合領域があることを特徴とする、請求項１に記載の継ぎ合わせ式立体カップ結合構造を有するブラジャーカップ。
【請求項３】
前記カップは、少なくとも１つのラミネート片をさらに含み、薄片状である当該ラミネート片の長さと幅は、前記溶接結合領域の長さと幅より大きく、当該ラミネート片の前記裁断式立体内カップ組立体に対応する一面に粘着剤が設けられ、当該ラミネート片は、前記粘着剤で前記溶接結合領域にラミネートされ、前記外凸部または前記内凹部の前記溶接結合領域を当該ラミネート片で粘合被覆することを特徴とする、請求項１に記載の継ぎ合わせ式立体カップ結合構造を有するブラジャーカップ。
【請求項４】
当該ラミネート片の前記粘着剤が設けられていない一面の材質及び色は、ラミネートされた前記裁断式立体内カップ組立体上の材質及び色と同じであることを特徴とする、請求項３に記載の継ぎ合わせ式立体カップ結合構造を有するブラジャーカップ。
【請求項５】
当該継ぎ合わせ布は、相互にラミネート固定された表布と、裏布とを含み、前記表布は前記外凸部箇所に位置し、前記裏布は前記内凹部に位置し、前記裁断式立体内カップ組立体の前記外凸部と前記内凹部にはいずれも上記の前記溶接結合領域があることを特徴とする、請求項１に記載の継ぎ合わせ式立体カップ結合構造を有するブラジャーカップ。
【考案の詳細な説明】
【技術分野】
【０００１】
本考案は、ブラジャーのカップに係り、特に、継ぎ合わせ式立体カップ結合構造を有するブラジャーカップに関するものである。
【背景技術】
【０００２】
現在、一般の下着カップ構造は、主に２種類のものがある。１種類目は、一体式熱圧着成形するものであり、２種類目は、裁断・ミシン縫製・継ぎ合わせ成形するものである。
【０００３】
図１のように、従来の裁断式立体内カップ組立体１０は、３つの裁断済みの継ぎ合わせ布１１と、複数の連結辺１１１とを備え、連結辺１１１が当該継ぎ合わせ布１１の外周辺に配置され、相隣する２つの当該連結辺１１１を立体型紙に合わせてミシン縫製することで、ミシン縫製糸１２が形成されることにより、前記裁断式立体内カップ組立体１０が成形される。
【考案の概要】
【考案が解決しようとする課題】
【０００４】
本考案は、裁断・ミシン縫製・継ぎ合わせ成形するカップに改良設計を加えるものである。２種類目の裁断・ミシン縫製・継ぎ合わせ成形するカップは、立体型紙に合わせて所定の単一または複数の平面に沿ってミシン縫製して継ぎ合わせる方式を利用して、前記裁布が立体形状に変形するように相互に結合される。２種類目の裁断・ミシン縫製・継ぎ合わせ成形するカップは、布面を新たにミシン縫製組み合わせた後、互いに引張力により成形され、予め計算しておくことで成形終了後、所望のバストの寄せ上げ形状に合わせて、前記種類のミシン縫製加工により布が立体カップ形状になるように結合されるものである。外表の美観性については、美観性が顕著なミシン縫製糸によって制限されると見なされ、かつミシン縫製加工のラインは、着用部位の皮膚に対してより大きい摩擦が起こり、局部の皮膚に擦り傷や不快感が生じやすく、またミシン縫製加工のラインで、洗浄過程において糸のほつれなどの分離現象が発生するおそれがある。
【０００５】
本考案の主要な目的は、その裁断式立体内カップ組立体の各裁断済みの継ぎ合わせ布は、高周波または超音波手段を利用して溶接継ぎ合わせることにより溶接結合領域が形成され、それは専門の仕立て職人を必要とせず、簡単な訓練を経た一般の人員であれば、製品加工を行うことができ、経験豊富な労働力の使用とコストを大幅に低減することができ、かつ加工した製品の規格を安定させることができ、しかも裁断済みの当該継ぎ合わせ布の形状により多様な変化を与えることができるので、本来、ミシン縫製の加工では縫合できない形状も容易に完成することができ、前記裁断式立体内カップ組立体の変化性と美感をより増すことができることにある。
【０００６】
本考案の副次的な目的は、その裁断式立体内カップ組立体の溶接結合領域を、当該ラミネート片を利用して粘合被覆した後、前記溶接結合領域が被覆され、これによりカップの強度を増大でき、前記溶接結合領域から裂けることを回避でき、かつミシン縫製糸がないため、外形美観の目的とカップに裁縫針の折れ針が残留する危険を回避できる目的を同時に達成できることにある。
【課題を解決するための手段】
【０００７】
本考案に係る継ぎ合わせ式立体カップ結合構造を有するブラジャーカップにおいて、そのカップは、裁断式立体内カップ組立体を備え、前記裁断式立体内カップ組立体は、少なくとも１つの裁断済みの継ぎ合わせ布と、少なくとも２つの連結辺とを有し、当該連結辺が当該継ぎ合わせ布の外周辺に配置され、相対応の２つの当該連結辺を立体型紙に合わせて高周波または超音波手段によって溶接継ぎ合わせることにより溶接結合領域が形成され、各当該継ぎ合わせ布が当該連結辺で強固結合され、かつ前記裁断式立体内カップ組立体には外凸部と内凹部とが形成される。
【図面の簡単な説明】
【０００８】
【図１】従来の多数枚式継ぎ合わせ布をミシン縫製して裁断式立体内カップ組立体に成形する過程を示す図である。
【図２】本考案の多数枚式継ぎ合わせ布で裁断式立体内カップ組立体が成形される過程を示す図である。
【図３】本考案のカップの分解斜視図である。
【図４】本考案のカップの平面断面分解図である。
【図５】本考案のカップの組合せ斜視図である。
【図６】本考案のカップの組合せ断面図である。
【図７】本考案の単枚式継ぎ合わせ布で裁断式立体内カップ組立体が成形される過程を示す図である。
【図８】本考案の別種のカップの分解斜視図である。
【図９】本考案の別種のカップの組合せ断面図である。
【図１０】本考案のさらに別種の裁断式立体内カップ組立体の外観斜視図である。
【考案を実施するための形態】
【実施例１】
【０００９】
図２〜図９のように、本考案の継ぎ合わせ式立体カップ結合構造を有するブラジャーカップにおいて、そのカップ１は、裁断式立体内カップ組立体２０と、少なくとも１つのラミネート片３０とを備える。
【００１０】
前記裁断式立体内カップ組立体２０は、少なくとも１つの裁断済みの継ぎ合わせ布２１と、少なくとも２つの連結辺２２とを有し、当該連結辺２２が当該継ぎ合わせ布２１の外周辺に配置され、相対応の２つの当該連結辺２２を立体型紙に合わせて高周波または超音波手段によって溶接継ぎ合わせることにより溶接結合領域２３が形成され、各当該継ぎ合わせ布２１が当該連結辺２２で強固結合され、かつ前記裁断式立体内カップ組立体２０には外凸部２４と内凹部２５とが形成される。
当該継ぎ合わせ布２１は、相互にラミネート固定された表布２１Ａと、裏布２１Ｂと、中間層２１Ｃとを含み、前記表布２１Ａは前記外凸部２４箇所に位置し、前記裏布２１Ｂは前記内凹部２５に位置し、前記中間層２１Ｃは前記表布２１Ａと前記裏布２１Ｂとの間に位置し、前記裁断式立体内カップ組立体２０の外凸部２４と内凹部２５にはいずれも上記の前記溶接結合領域２３がある。
【００１１】
当該ラミネート片３０は、薄片状であり、その長さと幅は、前記溶接結合領域２３の長さと幅より大きく、当該ラミネート片３０の前記裁断式立体内カップ組立体２０に対応する一面に粘着剤３１が設けられる。
【００１２】
当該ラミネート片３０は、前記粘着剤３１で前記溶接結合領域２３にラミネートされ、前記溶接結合領域２３の全てを当該ラミネート片３０で粘合被覆し、当該ラミネート片３０の前記粘着剤３１が設けられていない一面の材質及び色は、ラミネートされた前記裁断式立体内カップ組立体２０上の材質及び色と同じである。当該ラミネート片３０は、前記外凸部２４箇所の前記溶接結合領域２３にラミネートされると共に、前記内凹部２５箇所の前記溶接結合領域２３にラミネートされるか、あるいは選択的に前記外凸部２４箇所の前記溶接結合領域２３及び前記内凹部２５箇所の前記溶接結合領域２３のいずれかにラミネートされる。
【実施例２】
【００１３】
ある種の実施例では、図３及び図４のように、そのカップ１は、裁断式立体内カップ組立体２０と、少なくとも２つのラミネート片３０とを備える。本実施例は、４つのラミネート片３０を使用する実施形態である。
【００１４】
図２及び図３のように、前記裁断式立体内カップ組立体２０は、少なくとも２つの裁断済みの継ぎ合わせ布２１と、少なくとも２つの連結辺２２とを有し、本実施例は、３つの継ぎ合わせ布２１を使用する実施形態である。
各当該継ぎ合わせ布２１には、それぞれ少なくとも１つの上記の連結辺２２が配置され、継ぎ合わせを利用して相隣する２つの当該連結辺２２を立体型紙に合わせて高周波または超音波手段によって溶接継ぎ合わせることにより溶接結合領域２３が形成され、前記裁断式立体内カップ組立体２０には外凸部２４と内凹部２５とが形成される。
当該継ぎ合わせ布２１は、相互にラミネート固定された表布２１Ａと、裏布２１Ｂと、中間層２１Ｃとを含み（図４及び図５を参照）、前記表布２１Ａは前記外凸部２４箇所に位置し、前記裏布２１Ｂは前記内凹部２５に位置し、前記中間層２１Ｃは前記表布２１Ａと前記裏布２１Ｂとの間に位置する。
【００１５】
当該ラミネート片３０は、薄片状であり、その長さと幅は、前記溶接結合領域２３の長さと幅より大きく、当該ラミネート片３０の前記裁断式立体内カップ組立体２０に対応する一面に粘着剤３１が設けられる。
【００１６】
当該ラミネート片３０は、前記粘着剤３１で前記溶接結合領域２３にラミネートされ、前記溶接結合領域２３の全てを当該ラミネート片３０で粘合被覆し、当該ラミネート片３０の前記粘着剤３１が設けられていない一面の材質及び色は、ラミネートされた前記裁断式立体内カップ組立体２０上の材質及び色と同じである。当該ラミネート片３０は、前記外凸部２４箇所の前記溶接結合領域２３にラミネートされると共に、前記内凹部２５箇所の前記溶接結合領域２３にラミネートされるか、あるいは選択的に前記外凸部２４箇所の前記溶接結合領域２３及び前記内凹部２５箇所の前記溶接結合領域２３のいずれかにラミネートされる。
【００１７】
前記表布２１Ａまたは前記裏布２１Ｂの表面にプリント柄、刺繍柄またはドビー柄が施される。
【実施例３】
【００１８】
別種の実施例では、図７〜図９のように、そのカップ１は、裁断式立体内カップ組立体２０と、少なくとも２つのラミネート片３０とを備える。
【００１９】
前記裁断式立体内カップ組立体２０は、裁断済みの継ぎ合わせ布２１と、２つの連結辺２２とを有し、２つ当該の連結辺２２を立体型紙に合わせて高周波または超音波手段によって溶接継ぎ合わせることにより溶接結合領域２３が形成され、前記裁断式立体内カップ組立体２０には外凸部２４と内凹部２５とが形成される。
【００２０】
当該ラミネート片３０は、薄片状であり、その長さと幅は、前記溶接結合領域２３の長さと幅より大きく、当該ラミネート片３０の前記裁断式立体内カップ組立体２０に対応する一面に粘着剤３１が設けられる。
【００２１】
当該ラミネート片３０は、前記粘着剤３１で前記溶接結合領域２３にラミネートされ、前記溶接結合領域２３の全てを当該ラミネート片３０で粘合被覆し、当該ラミネート片３０の前記粘着剤３１が設けられていない一面の材質及び色は、ラミネートされた前記裁断式立体内カップ組立体２０上の材質及び色と同じである。当該ラミネート片３０は、前記外凸部２４箇所の前記溶接結合領域２３にラミネートされると共に、前記内凹部２５箇所の前記溶接結合領域２３にラミネートされるか、あるいは選択的に前記外凸部２４箇所の前記溶接結合領域２３及び前記内凹部２５箇所の前記溶接結合領域２３のいずれかにラミネートされる。
【００２２】
また、図１０のように、その内、前記溶接結合領域２３は、高周波または超音波手段によって溶接されて形成されるので、裁断済みの当該継ぎ合わせ布２１は、より多様化な形状に設計されてもよい。
【００２３】
上記の具体的な実施例の構造によれば、下記の効果利益が得られる。
【００２４】
本考案の裁断式立体内カップ組立体２０の各裁断済みの継ぎ合わせ布２１は、高周波または超音波手段を利用して溶接継ぎ合わせることにより溶接結合領域２３が形成され、それは専門の仕立て職人を必要とせず、仕立て職人になるためには、長時間の訓練が必要とされ、人為的な寸法誤差をもってミシン縫製し上げたこともあり、高周波または超音波手段の前記溶接結合領域２３では、簡単な訓練を経た一般の人員であれば、製品加工を行うことができ、経験豊富な労働力の使用とコストを大幅に低減することができ、かつ加工した製品の規格を安定させることができ、しかも裁断済みの当該継ぎ合わせ布２１の形状により多様な変化を与えることができるので、本来、ミシン縫製の加工では縫合できない形状も容易に完成することができ、前記裁断式立体内カップ組立体２０の変化性をより増すことができる。
【００２５】
本考案の前記裁断式立体内カップ組立体２０の溶接結合領域２３を、当該ラミネート片３０を利用して粘合被覆した後、前記溶接結合領域２３が被覆され、これによりカップ１の強度を増大でき、前記溶接結合領域２３から裂けることを回避でき、かつミシン縫製糸がないため、外形美観の目的を同時に達成できる。
【００２６】
本考案の裁断式立体内カップ組立体２０の継ぎ合わせ布２１の結合は、高周波または超音波手段によって溶接継ぎ合わせることにより溶接結合領域２３が形成され、裁縫針によるミシン縫製の前記方式を免れ、カップに裁縫針の折れ針が残留する危険を回避でき、製造工程をより安全に保つことになり、消費者の着用時に刺さってしまう危険を回避できる。
【符号の説明】
【００２７】
従来技術
１０        裁断式立体内カップ組立体
１１        継ぎ合わせ布
１１１      連結辺
１２        ミシン縫製糸
本発明
１        カップ
２０        裁断式立体内カップ組立体
２１        継ぎ合わせ布
２１Ａ      表布
２１Ｂ      裏布
２１Ｃ      中間層
２２        連結辺
２３        溶接結合領域
２４        外凸部
２５        内凹部
３０        ラミネート片
３１        粘着剤
【図１】
0003226133.tif 000003
【図２】
0003226133.tif 000004
【図３】
0003226133.tif 000005
【図４】
0003226133.tif 000006
【図５】
0003226133.tif 000007
【図６】
0003226133.tif 000008
【図７】
0003226133.tif 000009
【図８】
0003226133.tif 000010
【図９】
0003226133.tif 000011
【図１０】
0003226133.tif 000012